(57)【特許請求の範囲】
【請求項１】
記録媒体に記録された複数の動画像信号に個別に対応する窓領域を表示し、当該表示された窓領域の一つを選択する選択手段、
前記選択手段により選択された窓領域に対応する動画像信号の縮小動画像および当該動画像信号の大きさを示唆する情報および当該動画像信号を消去するためのアイコンを表示する表示手段、
消去操作を受け付ける消去操作受付手段、および当該消去操作に応答して前記動画像信号および前記動画像信号に関する情報を前記記録媒体から消去する消去手段を備える動画像再生装置。
【請求項２】
前記動画像信号の大きさを示唆する情報は、録画時間および録画モードであることを特徴とする請求項１記載の動画像再生装置。
【発明の詳細な説明】
【０００１】
【産業上の利用分野】
この発明は、動画像再生装置および動画像再生方法に関し、特にたとえばハードディスクビデオレコーダに適用され、ハードディスクのような記録媒体に記録された動画像信号を再生する、動画像再生装置および動画像再生方法に関する。
【０００２】
【従来技術】
従来のこの種の動画像再生装置および動画像再生方法では、マルチ表示された複数の縮小静止画像のうち所望の縮小静止画像に対する再生操作が行われると、当該縮小静止画像に関連する動画像信号が記録媒体から再生され、その再生動画像信号に基づく動画像がモニタに全画面表示されていた。また、所望の縮小静止画像に対する消去操作が行われると、関連する動画像信号が記録媒体から消去されていた。
【０００３】
【発明が解決しようとする課題】
しかし、縮小静止画像のみから動画像信号の内容を理解するのは容易ではなく、いずれかの縮小静止画像に対する消去操作を行ったときに、所望の動画像信号と異なる動画像信号が誤って消去される恐れがある。
【０００４】
それゆえに、この発明の主たる目的は、記録媒体に記録された動画像信号の誤消去を防止できる、動画像再生装置および動画像再生方法を提供することである。
【０００５】
【課題を解決するための手段】
第１の発明は、記録媒体に記録された複数の動画像信号に個別に対応する複数の縮小静止画像信号を含むマルチ画面信号を出力する第１出力手段、マルチ画面信号に基づくマルチ画面に対する所望の縮小静止画像の選択操作を受け付ける選択操作受付手段、当該選択操作に応答して所望の縮小静止画像に対応する動画像信号を記録媒体から再生する再生手段、再生手段によって再生された再生動画像信号に基づく縮小動画像信号を含む操作画面信号を出力する第２出力手段、操作画面信号に基づく操作画面に対する消去操作を受け付ける消去操作受付手段、および消去操作に応答して再生動画像信号を記録媒体から消去する消去手段を備える、動画像再生装置である。
【０００６】
第２の発明は、(a) 記録媒体に記録された複数の動画像信号に個別に対応する複数の縮小静止画像信号を含むマルチ画面信号を出力するステップ、(b) マルチ画面信号に基づくマルチ画面に対する所望の縮小静止画像の選択操作を受け付けるステップ、(c) 選択操作に応答して所望の縮小静止画像に対応する動画像信号を記録媒体から再生するステップ、(d) ステップ(c)において再生された再生動画像信号に基づく縮小動画像信号を含む操作画面信号を出力するステップ、(e) 操作画面信号に基づく操作画面に対する消去操作を受け付けるステップ、および(f) 消去操作に応答して再生動画像信号を記録媒体から消去するステップを備える、動画像再生方法である。
【０００７】
【作用】
この発明では、マルチ画面信号によって、複数の縮小静止画像を含むマルチ画面が形成される。このマルチ画面に対して所望の縮小静止画像を選択する旨の選択操作を行うと、当該所望の縮小静止画像に対応する動画像信号が記録媒体から再生される。そして、再生された動画像信号に基づく縮小動画像を含む操作画面が、操作画面信号によって形成される。この操作画面に対して任意の縮小動画像で表される再生動画像信号を消去する旨の消去操作を行うと、当該再生動画像信号が記録媒体から消去される。つまり、消去しようとする動画像信号の内容を縮小動画像で確認した上で、当該動画像信号を消去することができる。
【０００８】
この発明のある実施例では、操作画面に対するプロテクト操作を受け付けるプロテクト操作受付手段、および当該プロテクト操作に応答して再生動画像信号にプロテクトを施すプロテクト手段をさらに備える。
【０００９】
この発明の他の実施例では、第２出力手段を次のように構成する。すなわち、再生動画像信号に縮小ズームを施して縮小動画像信号を生成する縮小ズーム手段、縮小動画像信号に対応する窓信号を有するキャラクタ信号を発生する発生手段、および縮小動画像信号とキャラクタ信号とを混合して操作画面信号を生成する混合手段を含むものとする。
【００１０】
この場合、縮小ズーム手段は、縮小静止画像と同じサイズの縮小動画像が表示されるズーム倍率で縮小ズームを実行するようにするのが望ましい。すなわち、マルチ画面上に表示される縮小静止画像のサイズと、操作画面上に表示される縮小動画像のサイズとを、同じサイズとする。
【００１１】
さらに、操作画面に対する再生操作を受け付ける再生操作受付手段、当該再生操作に応答して縮小ズーム手段のズーム倍率を段階的に増加させる増加手段、および再生操作に応答して窓信号によって形成される窓の面積を段階的に拡大する拡大手段をさらに備えてもよい。すなわち、縮小動画像のサイズを徐々に大きくするとともに、この縮小動画像に対応する窓の面積をも徐々に大きくする。
【００１２】
なお、記録媒体としては、ディスク媒体を用いることができる。
【００１３】
【発明の効果】
この発明によれば、消去しようとする動画像信号の内容を縮小動画像で確認することができるので、縮小静止画像のみから動画像信号の内容を理解するという上述した従来技術とは異なり、当該動画像信号の誤消去を確実に防止できるという効果がある。
【００１４】
この発明の上述の目的，その他の目的，特徴および利点は、図面を参照して行う以下の実施例の詳細な説明から一層明らかとなろう。
【００１５】
【実施例】
図１を参照して、この実施例のハードディスクビデオレコーダ１０は、テレビジョン放送番組を記録（録画）／再生するための装置であり、当該テレビジョン放送番組の電波を受信するための受信アンテナ１２が接続されるアンテナ入力端子Ｔ１を有している。受信アンテナ１２は、受信した電波を高周波の電気信号に変換し、変換された高周波信号は、アンテナ入力端子Ｔ１を介してチューナ回路１４に入力される。チューナ回路１４は、入力される高周波信号の中から任意のチャネルの周波数成分を抽出する。いずれのチャネルの周波数成分を抽出するかは、ＣＰＵ（Central Processing Unit）１６から供給される選局指令に基づいて行われる。そして、チューナ回路１４は、抽出した信号をアナログのテレビジョン信号に変換し、この変換後のテレビジョン信号を録画処理回路１８に入力する。
【００１６】
録画処理回路１８は、入力されたテレビジョン信号を１フィールド単位でＹＵＶフォーマットに従うディジタルの映像データ（厳密には音声データを含む。）に変換する。さらに、録画処理回路１８は、自身が内蔵する動画圧縮回路２０によって当該変換後の映像データをＭＰＥＧ（Motion Picture Expert Group）２方式に従って圧縮（音声データについてはＭＰＥＧ１オーディオ方式またはＭＰＥＧ２オーディオ方式に従って圧縮）して、圧縮動画像データを生成する。この圧縮動画像データは、ＣＰＵ１６の制御によってハードディスク２２に転送され、記録される。
【００１７】
なお、ＣＰＵ１６は、操作キー２４（または図示しないリモコンキー）を構成する図示しない選局キーの操作に応じて上述した選局指令を生成する。そして、ＣＰＵ１６は、操作キー２４を構成する図示しない録画キーが押下されたときに、録画処理回路１８による処理後（動画圧縮回路２０による圧縮後）の圧縮動画像データをハードディスク２２に転送し記録するという記録動作を実行する。このとき、操作キー２４を構成する図示しない録画モード選択キーの操作によって動画圧縮回路２０による映像データの圧縮率を設定することができ、具体的には、低圧縮率の“高画質モード”，高圧縮率の“長時間モード”およびこれら各モードの中間的な圧縮率の“標準モード”という３つのモードから選択できる。この一連の記録動作は、操作キー２４を構成する図示しない停止キーを押下することで、停止する。
【００１８】
一方、操作キー２４によって後述する所定の再生操作が成されると、ＣＰＵ１６は再生動作に入る。すなわち、ＣＰＵ１６は、ハードディスク２２に対して、再生対象となる番組の圧縮動画像データを順次再生処理回路２６に読み出すよう指示を与える。この指示に従って再生処理回路２６に読み出された圧縮動画像データは、当該再生処理回路２６に内蔵された伸長回路２８によって伸長され、これによって上述した１フィールド単位のＹＵＶフォーマットに従う映像データが再現される。そして、この映像データは、ＣＰＵ１６の制御によってビデオメモリ３０に一旦蓄積された後、可変スケーラ３２および混合回路３４を介してエンコーダ３８に入力される。
【００１９】
エンコーダ３６は、混合回路３４から入力される映像データをアナログのテレビジョン信号に変換する。変換後のテレビジョン信号は、出力端子Ｔ２を介して外部に出力される。よって、出力端子Ｔ２にテレビジョン受像機などのモニタ装置５０を接続すれば、当該モニタ装置５０の表示画面に再生映像（動画像）が映し出される。この一連の再生動作を停止する場合も、上述した停止キーを押下すればよい。
【００２０】
なお、再生動作中以外の状態では、モニタ装置５０の表示画面には現在受信中の番組の映像、いわゆるライブ映像が映し出される。この場合、図には示さないが、ＣＰＵ１６は、録画処理回路１８による処理後の映像データ（動画圧縮回路２０による圧縮前の映像データ）を、ハードディスク２２を介さずに直接、再生処理回路２６に入力する（ただし、伸長回路２８は介さない）。
【００２１】
さらに、この実施例のハードディスクビデオレコーダ１０は、ＯＳＤ（On Screen Display）機能を有しており、このＯＳＤ機能を実現するために上述したビデオメモリ３０とは別個のＯＳＤメモリ３８を有している。すなわち、選局初期設定や録画予約設定などの各種設定を行うとき、ＣＰＵ１６は、各々の設定内容に応じた設定画面をモニタ装置５０の表示画面に表示するべく、当該設定画面に応じたＯＳＤデータをＯＳＤメモリ３８に書き込む。このＯＳＤデータは、ＣＰＵ１６内の図示しないメモリ領域に予め記憶されている。ただし、ＯＳＤデータは、ＲＧＢフォーマットに従うデータであるため、ＯＳＤメモリ３８に書き込まれたＯＳＤデータは、ＹＵＶ変換回路４０によってＹＵＶフォーマットのデータに変換された後、混合回路３４に入力される。
【００２２】
混合回路３４は、ＹＵＶ変換回路４０から入力されるＯＳＤデータと、可変スケーラ３２経由で入力される映像データとを、互いに混合する。そして、これらを混合した後のデータをエンコーダ３６に入力する。これによって、ビデオメモリ３０によって構成される画面、いわゆるビデオ面と、ＯＳＤメモリ３８によって構成される画面、いわゆるＯＳＤ面とを、互いに重ね合わせた画面がモニタ装置５０に表示される。具体的には、ビデオ面の映像（再生映像またはライブ映像）の上に、ＯＳＤ面の設定画面がオーバレイ表示される。オペレータは、この設定画面を見ながら操作キー２４を操作することで、選局初期設定や録画予約設定などの各種設定を行うことができる。なお、ビデオ面とＯＳＤ面とは、互いに同じサイズ（面積）である。
【００２３】
ところで、ハードディスク２２内には、図２に示すように、圧縮動画像データ以外にも、当該各圧縮動画像データに個別に対応する複数のサムネイルデータも記録されている。なお、同図において、各圧縮動画像データにかっこ（［］）書きで記してある番号は、ハードディスク２２に対して当該各圧縮動画像データが記録された順番を表す。この順番は、各サムネイルデータにも付される。
【００２４】
サムネイルデータは、各々に対応する圧縮動画像データのサムネイルを表示するためのデータであり、サムネイル生成回路４２によって生成される。サムネイル生成回路４２は、固定スケーラ４４および静止画圧縮回路４６を含み、このうちの固定スケーラ４４に対してビデオメモリ３０から映像データが入力される。固定スケーラ４４は、入力される映像データに基づく画像のサイズがビデオ面のサイズの１／Ｍdにまで縮小されるように当該映像データに対していわゆる縮小ズーム加工を施し、加工後の映像データを静止画圧縮回路４６に入力する。なお、１／Ｍdという縮小率としては、１／Ｍd＝１／８程度が適当である。静止画圧縮回路４６は、ＣＰＵ１６から圧縮指令が供給されたときに、その時点で固定スケーラ４４から入力される映像データをＪＰＥＧ（Joint Photographic Expert Group）方式に従って圧縮して、圧縮静止画像データを生成する。そして、この圧縮静止画像データを、サムネイルデータとしてハードディスク２２に記録する。
【００２５】
なお、ＣＰＵ１６は、基本的に、各々の圧縮動画像データについて初めて再生が行われたときに、最初のフィールドから数えて所定フィールド目の映像データを基にサムネイルデータを生成するよう上述の圧縮指令を発生する。ただし、再生中に操作キー２４を構成する図示しないポーズキーが押下された場合には、当該ポーズキーが押下された時点で圧縮指令を発生する。つまり、ポーズキーを操作することで、再生映像の任意のフィールドをサムネイルとして記録することができる。
【００２６】
さらに、ＣＰＵ１６には、ＥＥＰＲＯＭ（Electrically Erasable Programmable Read-Only Memory）４８が接続されており、このＥＥＰＲＯＭ４８には、図３に示すような録画テーブルが格納されている。同図に示すように、録画テーブル４８には、ハードディスク２２に記録されている各圧縮動画像データに関する諸情報が記録されており、具体的には、ハードディスク２２への記録順（No.）を基準として、チャネル（CH），録画日，録画開始時刻，録画時間，録画モード，ジャンルおよびプロテクトの有無に関する情報が記録されている。
【００２７】
このうち、録画日，録画開始時刻および録画時間については、ＣＰＵ１６に接続されている図示しないタイマ回路（ＲＴＣ：Real Time Clock）から与えられる時刻情報に基づいて求められる。ジャンルについては、操作キー２４の操作によって任意に入力することができるが、この発明の本旨に直接関係するものではないので、ここでは詳しい説明を省略する。そして、プロテクトは、圧縮動画像データを消去不可とするためのいわゆる保護マーカであり、当該プロテクトが有効とされている（つまりプロテクトが掛けられている）圧縮動画像データには“１”が入力され、プロテクトが無効とされている（つまりプロテクトが掛けられていない）圧縮動画像データには“０”が入力される。このプロテクトを有効または無効とする手順については、後述する。
【００２８】
さて、上述した所定の再生操作は、操作キー２４を構成するメニューキー２４ａを押下することから始まる。すなわち、メニューキー２４ａを押下すると、ＣＰＵ１６は、モニタ装置５０の表示画面に図４（ｃ）に示すようなメニュー画面を表示するよう、ビデオメモリ３０，可変スケーラ３２およびＯＳＤメモリ３８を制御する。
【００２９】
具体的には、ＯＳＤメモリ３８に対して、図４（ａ）に示すようなＯＳＤ面を構成するようＯＳＤデータを書き込む。このＯＳＤ面によれば、各々透過色とされた複数の矩形の窓５２，５２，・・・がマトリクス状に表示される（同図では、６つの窓５２，５２，・・・が横３列縦２行に表示される）。そして、各窓５２，５２，・・・の下方に見出し番号（同図では、“１”〜“６”の番号）５４が表示される。この見出し番号５４は、各々の圧縮映像データの記録順（図３の録画リスト４８における“No.”欄の数値）に対応する。さらに、いずれか１つの窓（ここでは左上方の窓）５２の外周を囲むように、当該窓５２よりも一回り大き目の矩形のカーソル５６が表示される。なお、各々の窓５２のサイズは、ＯＳＤ面（換言すればビデオ面）全体の１／Ｍdのサイズとされている。また、各窓５２，５２，・・・以外の部分は、不透過色とされており、詳しくは各見出し番号５４，５４，・・・およびカーソル５６（いわゆるキャラクタ部分）は白色で表され、それ以外の背景部分は青色（いわゆるブルーバック）で表される。
【００３０】
一方、ビデオメモリ３０については、ハードディスク２２から上述したサムネイルデータをＯＳＤ面の窓５２の数だけ再生処理回路２６経由で読み出す。そして、この読み出したサムネイルデータ（厳密には、伸長回路２８による伸長後のサムネイルデータ）に基づいて、図４（ｂ）に示すように、ＯＳＤ面における各窓５２，５２，・・・の配置に合わせて６つのサムネイル５８，５８，・・・を横３列縦２行に表示する。このとき、各々の窓５２に付された見出し番号５４と、当該窓５２に合わせて配置されるサムネイル５８に対応する圧縮動画像データの記録順とが、互いに一致するようにように、各サムネイル５８，５８，・・・を割り当てる。
【００３１】
可変スケーラ３２は、ビデオ面に展開される画像がモニタ装置５０の表示画面に表示されるときのサイズおよび位置を任意に変更するものであり、図５に示すように、サイズについては任意の縮小率１／Ｍs（０＜Ｍs≦１）で縮小ズームすることができる。位置については、画像の左上隅を基点とし、モニタ装置５０の表示画面上における当該基点の座標（Ｘs,Ｙs）を任意に設定することで変更できる。このようにして画像のサイズおよび表示位置を任意に変更する技術は、公知の技術であるので、ここではこの技術に関する詳しい説明を省略する。かかる可変スケーラ３２については、メニュー画面を表示する上で、ＣＰＵ１６は、縮小率１／Ｍsを“１／１”とし、基点の座標（Ｘs,Ｙs）を“（０,０）”とするよう制御する。この場合、可変スケーラ３２は、言わばスルー状態となり、ビデオメモリ３０から入力されるデータをそのまま混合回路３４に向けて出力する。
【００３２】
このようにビデオメモリ３０，可変スケーラ３２およびＯＳＤメモリ３８を制御することによって、図４（ｃ）のメニュー画面が表示される。すなわち、横３列縦２行にマルチ表示された６つの窓５２，５２，・・・の枠内に各々個別に６つのサムネイル５８，５８，・・・が表示されるとともに、各々のサムネイル５８の下方に見出し番号５４が表示される。そして、いずれか１つのサムネイル５８の外周を囲むようにカーソル５６が表示される。
【００３３】
カーソル５６は、再生対象となる映像を選択するためのもので、操作キー２４を構成する矢印キー２４ｂを操作することによって移動させることができる。すなわち、メニュー画面が表示されている状態で矢印キー２４ｂを押下すると、ＣＰＵ１６は、当該矢印キー２４ｂによって指定された方向（上下左右のいずれかの方向）に向けてカーソル５６を移動させるように、ＯＳＤメモリ３８を制御する。ただし、メニュー画面から外れる方向へはカーソル５６を移動させることはできない。
【００３４】
このメニュー画面において、カーソル５６によっていずれかのサムネイル５２を選択した状態（ここでは図４（ｃ）の状態）で、操作キー２４を構成する決定キー２４ｄｃ押下したとする。すると、ＣＰＵ１６は、モニタ装置５０の画面表示を、メニュー画面表示から図６（ｃ）に示す操作画面表示に遷移させる。
【００３５】
具体的には、ＯＳＤメモリ３８に対して、図６（ａ）に示すようなＯＳＤ面を構成するためのＯＳＤデータを書き込む。すなわち、上述した図４（ａ）において左上方隅にある窓５２と同じ大きさの窓６０を当該窓５２と同じ位置に表示するとともに、この窓６０の右側に所定のキャラクタ６２〜７４を表示する。
【００３６】
各キャラクタ６２〜７４のうち、最も上方に表示される矩形の枠付のキャラクタ６２は、サムネイル５８に対応する圧縮動画像データの記録順を表す。そして、この記録順を表すキャラクタ６２の下方に、チャネル，録画モードおよびジャンルを表すキャラクタ６４，６６および６８を表示し、これらのキャラクタ６４，６６および６８の下方に、録画日を表すキャラクタ７０を表示する。さらに、このキャラクタ７０の下方に、録画開始時刻および録画時間を表すキャラクタ７２および７４を表示する。そして、水平方向に沿う仕切り線７６を挟んで、ＯＳＤ面の下側に“再生”，“消去”，“プロテクト”および“戻る”というキャラクタ７８，８０，８２および８４を表示し、これらのキャラクタ７８〜８４のいずれかを囲むように矩形のカーソル８６を表示する。なお、この操作画面においても、窓６０，各キャラクタ６２〜８４およびカーソル８６は白色で表され、背景部分はブール−バックで表示される。
【００３７】
一方のビデオメモリ３０については、選択されたサムネイル５２に対応する圧縮動画像データをハードディスク２２から再生処理回路２６に読み出し、この読み出した圧縮動画像データを伸長回路２８で伸長することによって映像データを再現する。そして、この再現した映像データをビデオメモリ３０に書き込むことで、図６（ｂ）に示すように、ビデオ面全体に再生映像（動画像）８８を展開する。この時点から再生動作が開始される。
【００３８】
そして、可変スケーラ３２については、ビデオ面に展開された再生映像８８がＯＳＤ面における窓６０の枠内に収まるように、当該再生映像８８のサイズを縮小するとともに、当該縮小された再生映像８８の表示位置を設定する。具体的には、縮小率１／Ｍsを“１／Ｍd”とし、基点（Ｘs,Ｙs）を“（Ｘd,Ｙd）”とする。ここで、“（Ｘd,Ｙd）”とは、窓６０の基点（Ｘw,Ｙw）の初期値である。
【００３９】
このようにビデオメモリ３０，可変スケーラ３２およびＯＳＤメモリ３８を制御することによって、図６（ｃ）の操作画面がモニタ装置５０に表示される。すなわち、画面の左上方に再生映像８８が縮小表示されるとともに、この縮小表示された再生映像８８の右側に当該再生映像８８に関する詳細な情報を表すキャラクタ６２〜７４が表示される。そして、画面の下側に、“再生”，“消去”，“プロテクト”および“戻る”という処理の内容を表すキャラクタ７８〜８４が表示され、これら各キャラクタ７８〜８４のいずれかを囲むようにカーソル８６が表示される。
【００４０】
カーソル８６は、“再生”，“消去”，“プロテクト”および“戻る”という処理のいずれかを任意に選択するためのもので、この選択は上述した矢印キー２４ｂおよび決定キー２４ｃの操作による。たとえば、矢印キー２４ｂの操作によって“再生”というキャラクタ７８を囲むようにカーソル８６を移動させた状態で決定キー２４ｃを押下すると、当該“再生”という処理が選択される。この場合、ＣＰＵ１６は、ＯＳＤメモリ３８および可変スケーラ３２に対して次のような制御を行う。
【００４１】
すなわち、ＯＳＤメモリ３８については、図７（ａ）に示すように、窓６０の基点（Ｘw,Ｙw）をＯＳＤ面の基点“（０,０）”に向けて段階的に移動させる。
これと同時に、窓６０のサイズを段階的に大きくし、つまりＯＳＤ面のサイズに対する当該窓６０のサイズの縮小率１／Ｍwを上述した“１／Ｍd”という初期の縮小率から“１／１”になるまで段階的に変化させる。なお、窓６０の基点（Ｘw,Ｙw）がＯＳＤ面の基点“（０,０）”に到達したとき、同時に縮小率１／Ｍwが“１／１”となり、つまりＯＳＤ面全体が透過色となるように、これら基点（Ｘw,Ｙw）および縮小率１／Ｍwを変化させる。
【００４２】
一方、可変スケーラ３２については、図７（ｂ）の如くビデオ面全体に展開された再生映像８８が、図７（ａ）のＯＳＤ面における窓６０の枠内に収まるように、当該再生映像８８のサイズおよび位置を変化させる。すなわち、上述した縮小率１／Ｍsを“１／Ｍw”とするとともに、基点（Ｘs,Ｙs）を“（Ｘw,Ｙw）”とする。
【００４３】
このようにＯＳＤメモリ３８および可変スケーラ３２を制御することで、図７（ｃ）に示すように、モニタ装置５０に表示される再生映像８８のサイズが時間の経過とともに徐々に大きくなる。そして、最終的には、モニタ装置５０の画面全体に再生映像８８が表示される。この実施例では、操作画面において“再生”という処理を選択してから（つまり決定キー２４ｃを押下してから）再生映像８８のサイズが最大となるまで、約３〜５[s]の時間が掛かるようにしている。勿論、この時間は、任意に設定することができる。
【００４４】
一方、図６（ｃ）の操作画面において、“消去”を選択すると（詳しくは、矢印キー２４ｂの操作によって“消去”というキャラクタ８０を囲むようにカーソル８６を移動させた状態で決定キー２４ｃを押下すると）、ＣＰＵ１６は、当該操作画面に表示されている再生映像８８の圧縮動画像データおよびこれに対応するサムネイルデータをハードディスク２２から消去する。これと同時に、ＣＰＵ１６は、録画テーブル４８から当該圧縮動画像データに関する諸情報を消去するとともに、当該消去後の録画テーブル４８の記録内容を整理（更新）する。そして、この更新後の録画テーブル４８の記録内容に基づいて改めて図４（ｃ）のメニュー画面を表示するよう、ＣＰＵ１６は、ビデオメモリ３０およびＯＳＤメモリ３８を制御する。
【００４５】
ただし、消去しようとする圧縮動画像データに上述したプロテクタが掛けられている場合には、ＣＰＵ１６は、その旨（つまりプロテクタが有効であるために圧縮動画像データを消去できない旨）を表すメッセージをモニタ装置５０に表示する。そして、このメッセージの表示後、改めてメニュー画面を表示するよう、ビデオメモリ３０およびＯＳＤメモリ３８を制御する。
【００４６】
さらに、図６（ｃ）の操作画面において、“プロテクト”（キャラクタ８２）を選択すると、ＣＰＵ１６は、当該操作画面に表示されている再生映像８８の圧縮動画像データに対してプロテクタを掛ける。具体的には、録画リスト４８内の当該圧縮画像データに関する“プロテクト”欄に、“１”を記録する。そして、このプロテクト処理後、ＣＰＵ１６は、改めてメニュー画面を表示するよう、ＣＰＵ１６は、ビデオメモリ３０およびＯＳＤメモリ３８を制御する。
【００４７】
なお、メニュー画面で選択したサムネイル５２に対応する圧縮動画像データに既にプロテクトが掛けられている場合には、図６（ｃ）に矩形の点線９０で示すように、操作画面の右上方の部分にプロテクトが有効である旨のマーク（たとえば“PROTECT”というキャラクタ）が表示される。勿論、このキャラクタ９０は、ＯＳＤメモリ３８上に書き込まれる。そして、かかるプロテクトが有効である圧縮動画像データについて、操作画面上で“プロテクト”を選択した場合は、当該プロテクトが解除され、すなわち無効とされる。
【００４８】
そして、図６（ｃ）の操作画面において、“戻る”（キャラクタ８４）を選択すると、ＣＰＵ１６は、モニタ装置５０の画面表示を当該操作画面が表示される前の状態、すなわちメニュー画面に戻すよう、ビデオメモリ３０およびＯＳＤメモリ３８を制御する。
【００４９】
なお、メニュー画面または操作画面において、メニューキー２４ａを押下した場合、ＣＰＵ１６は、図８（ａ）に示すようにＯＳＤ面全体を透過色とするとともに、図８（ｂ）に示すようにビデオ面全体にライブ映像を表示するように、ＯＳＤメモリ３８およびビデオメモリ３０を制御する。これと同時に、ＣＰＵ１６は、可変スケーラ３２をスルー状態とする。これによって、モニタ装置５０の表示画面には、図８（ｃ）に示すように当該画面全体にわたってライブ映像が映し出される。
【００５０】
このようにして図４（ｃ）のメニュー画面および図６（ｃ）の操作画面を表示させるとともに、これらの画面を用いての各処理を実現するために、ＣＰＵ１６は、上述したメモリ領域内に記憶されている制御プログラムに従って図９〜図１２のフロー図で示される各処理を実行する。なお、これらの処理に入る前に、モニタ装置５０の表示画面には、図８（ｃ）に示すようにライブ映像が表示されているものとする。
【００５１】
図９を参照して、メニューキー２４ａが押下されると、ＣＰＵ１６は、ステップＳ１に進み、ＯＳＤ面に対して図４（ａ）に示す画面、いわゆるメニュー用画面を表示する（厳密には、当該メニュー用画面を表示するためのＯＳＤデータをＯＳＤメモリ３８に書き込む）。そして、ＣＰＵ１６は、ステップＳ３においてＥＥＰＲＯＭ４８内の録画リストを参照し、この参照結果に基づいて、ステップＳ５においてハードディスク２２からサムネイルデータを読み出す。そして、この読み出したサムネイルデータに基づいて、ステップＳ７において図４（ｂ）に示すようにビデオ面に複数のサムネイル５８，５８，・・・をマルチ表示する（厳密には、当該マルチ表示するための映像データをビデオメモリ３０に書き込む）。これによって、モニタ装置５０の表示画面に、図４（ｃ）のメニュー画面が表示される。
【００５２】
メニュー画面の表示後、ＣＰＵ１６、ステップＳ９に進み、操作キー２４によって何らかの操作が成されるのを待機する。そして、何らかの操作が成されると、ＣＰＵ１６は、ステップＳ１１に進み、当該操作の内容を判別する。
【００５３】
このステップＳ１１において、矢印キー２４ｂが押下されたと判断すると、ＣＰＵ１６は、ステップＳ１３に進み、ＯＳＤ面において当該矢印キー２４ｃで指定された方向に向けてカーソル５６を移動させた後、ステップＳ９に戻る。
【００５４】
一方、メニューキー２４ａが押下されたと判断すると、ＣＰＵ１６は、ステップＳ１５に進む。そして、このステップＳ１５において、ＯＳＤ面全体を透過色とするとともに、ステップＳ１７において、ビデオ面にライブ映像を表示して、このフロー図で示される一連の処理を終了する。
【００５５】
また、ステップＳ１１において、決定キー２４ｃが押下されたと判断すると、ＣＰＵ１６は、図１０のステップＳ１９に進む。そして、このステップＳ１９において、図４（ｃ）のメニュー画面で選択されたサムネイル５８に対応する圧縮動画像データに関する諸情報を録画リスト４８から読み出し、この読み出した情報に基づいて、ステップＳ２１においてＯＳＤ面に図６（ａ）に示す画面、いわゆる操作用画面を表示する。
【００５６】
さらに、ＣＰＵ１６は、ステップＳ２３において、可変スケーラ３２の基点（Ｘs,Ｙs）を“（Ｘd,Ｙd）”とし、縮小率１／Ｍsを“１／Ｍd”とする。そして、ステップＳ２５において、図４（ｃ）のメニュー画面で選択されたサムネイル５８に対応する圧縮動画像データの読み出しを開始し、ステップＳ２７において、図６（ｂ）に示すようにビデオ面に対して当該読み出した圧縮動画像データに基づく動画像（再生映像）を展開する。これによって、モニタ装置５０の表示画面に、図６（ｃ）に示す操作画面が表示される。
【００５７】
この操作画面の表示後、ＣＰＵ１６は、ステップＳ２９に進み、操作キー２４によって何らかの操作が成されるのを待機する。そして、何らかの操作が成されると、ＣＰＵ１６は、ステップＳ３１に進み、当該操作の内容を判別する。
【００５８】
ここで、矢印キー２４ｂが押下されると、ＣＰＵ１６は、ステップＳ３３に進む。そして、ＯＳＤ面において当該矢印キー２４ｃの操作に従ってカーソル８６を移動させた後、ステップＳ２９に戻る。
【００５９】
一方、メニューキー２４ａが押下されると、ＣＰＵ１６は、ステップＳ３５に進む。そして、このステップＳ３５において、可変スケーラ３２の基点（Ｘs,Ｙs）を“（０,０）”とし、縮小率１／Ｍsを“１／１”とすることで、当該可変スケーラ３２をスルー状態とした後、図９のステップＳ１５に進む。
【００６０】
さらに、ステップＳ３１において“再生”が選択されたとすると、ＣＰＵ１６は、図１１のステップＳ３７に進む。このステップＳ３７において、ＣＰＵ１６は、図６（ａ）に示すＯＳＤ面の窓６０のみを残し、キャラクタ６２〜７４などの他の部分を消去する。そして、ステップＳ３９において、図７（ａ）に示すようにＯＳＤ面の窓６０の基点（Ｘw,Ｙw）を“（０,０）”に向けて１段階移動させる。そして、ステップＳ４１において、当該窓６０の縮小率１／Ｍwを１段階アップさせる（つまり、Ｍwを小さくする）。
【００６１】
そして、ステップＳ４３において、可変スケーラ３２の基点（Ｘs,Ｙs）をＯＳＤ面における窓６０の基点（Ｘw,Ｙw）に合わせると共に、ステップＳ４５において、可変スケーラ３２の縮小率１／Ｍsを当該窓６０の縮小率１／Ｍwに合わせる。
【００６２】
このようにしてＯＳＤ面における窓６０に応じて可変スケーラ３２の基点（Ｘs,Ｙs）および縮小率１／Ｍsを制御した後、ＣＰＵ１６は、ステップＳ４７に進む。そして、このステップＳ４７において、可変スケーラ３２の拡大作業が完了したか否かを判断し、詳しくは基点（Ｘs,Ｙs）が“（０,０）”に到達するとともに、縮小率１／Ｍsが１／１になったか否かを判断する。ここで、当該拡大作業が完了していない（つまり、基点（Ｘs,Ｙs）が“（０,０）”に到達しておらず、縮小率１／Ｍsが１／１になっていない）と判断すると、ＣＰＵ１６は、ステップＳ４９に進み、所定時間（数十[ms]程度）待機した後、ステップＳ３９に戻る。一方、拡大作業が完了した（つまり、基点（Ｘs,Ｙs）が“（０,０）”に到達し、かつ縮小率１／Ｍsが１／１になった）と判断すると、ＣＰＵ１６は、ステップＳ５１に進む。
【００６３】
ステップＳ５１においては、ＣＰＵ１６は、現在再生中の映像を最後まで再生し終えたか否か、若しくは上述した停止キーが押下されたか否かを判断する。ここで、現在再生中の映像を最後まで再生し終えるか、若しくは停止キーが押下されると、ＣＰＵ１６は、ステップＳ５３に進む。そして、このステップＳ５３において、再生動作を停止した後、再度、メニュー画面を表示するべく、図９のステップＳ１に戻る。
【００６４】
さらに、図１０のステップＳ３１（図６（ｃ）の操作画面）において、“消去”が選択されたと判断すると、ＣＰＵ１６は、図１２のステップＳ５５に進む。
このステップＳ５５において、ＣＰＵ１６は、消去しようとする圧縮動画像データのプロテクトが有効であるか否かを判断する。ここで、プロテクトが有効である場合、ＣＰＵ１６は、ステップＳ５７に進み、当該圧縮動画像データを消去することができない旨のメッセージを表示する（厳密には、このメッセージを表示するためのＯＳＤデータをＯＳＤメモリ３８に書き込む）。このメッセージの表示後、ＣＰＵ１６は、ステップＳ５９に進み、可変スケーラ３２をスルー状態とした後、改めてメニュー画面を表示するべく、図９のステップＳ１に戻る。
【００６５】
一方、ステップＳ５５において、プロテクトが無効であると判断した場合、ＣＰＵ１６は、ステップＳ６１に進む。そして、このステップＳ６１において、消去しようとする圧縮動画像データおよびこれに対応するサムネイルデータをハードディスク２２から消去すると共に、当該圧縮動画像データに関する諸情報を録画リスト４８から消去する。そして、ステップＳ６３において、録画リスト４８の内容を更新した後、ステップＳ５９に進む。
【００６６】
また、図１０のステップＳ３１において、“プロテクト”が選択されたと判断すると、ＣＰＵ１６は、図１２のステップＳ６５に進む。このステップＳ６５において、ＣＰＵ１６は、圧縮動画像データのプロテクトが有効であるか否かを判断する。ここで、プロテクトが有効である場合、ＣＰＵ１６は、ステップＳ６７に進み、当該プロテクトを解除し、つまり無効とした後、ステップＳ６３に進む。一方、プロテクトが無効である場合、ＣＰＵ１６は、ステップＳ６９に進み、当該プロテクトを設定し、つまり有効とした後、ステップＳ６３に進む。
【００６７】
なお、図１０のステップＳ３１において、“戻る”が選択された場合、ＣＰＵ１６は、改めてメニュー画面を表示するべく、図１２のステップＳ５９において可変スケーラ３２をスルー状態とした後、図９のステップＳ１に戻る。
【００６８】
以上のように、この実施例によれば、任意の圧縮動画像データを消去するには、メニューキー２４ａを押下することによってメニュー画面を表示させ、さらに当該メニュー画面において消去しようとする圧縮動画像データに対応するサムネイル５８を選択することで操作画面を表示させる必要がある。この操作画面においては、消去しようとする圧縮動画像データに基づいて縮小された再生映像８８が表示されるので、当該再生映像８８から消去しようとする圧縮動画像データの内容を確認することができる。したがって、誤って別の圧縮動画像データを消去してしまうという誤操作を防止することができる。
【００６９】
また、再生時も同様に、操作画面上に表示される縮小再生映像８８から再生しようとする圧縮動画像データの内容を確認できるので、所望の圧縮動画像データを確実に再生することができる。
【００７０】
さらに、各々の圧縮動画像データには、個別にプロテクトを掛けることができるので、当該圧縮動画像データの誤消去をより確実に防止することができる。
【００７１】
また、再生時に、可変スケーラ３２によって再生映像のサイズを変化させることで、当該再生映像の表示形態に面白みを与えている。この可変スケーラ３２の制御パターンをいくつか用意しておけば、より多彩な表示形態を実現することができる。
【００７２】
なお、この実施例では、録画／再生可能なハードディスクビデオレコーダ１０にこの発明を適用することについて説明したが、これに限らない。たとえば、再生専用の装置にこの発明を適用してもよい。また、ハードディスク２２に代えてＤＶＤ（Digital Versatile Disc）などの他の記録媒体を採用する装置に、この発明を適用してもよい。
【００７３】
そして、図６（ｃ）に示す操作画面において“再生”を選択した後、窓６０および再生映像８８の両方のサイズおよび位置を変化させるようにしたが、これに限らない。たとえば、ＯＳＤ面については全面透過色とし、再生映像８８についてのみ可変スケーラ３２によってサイズおよび位置を変化させるようにしてもよい。ただし、この場合、モニタ装置５０の表示画面上では、再生映像８８以外の部分は黒色表示となる。
【００７４】
さらに、動画圧縮回路２０による映像データの圧縮方式としてＭＰＥＧ２方式を採用したが、モーションＪＰＥＧ（Motion JPEG）方式などの他の圧縮方式を採用してもよい。また、サムネイル生成回路４２の静止画圧縮回路４６による映像データの圧縮方式としてＪＰＥＧ方式を採用したが、ＧＩＦ（Graphics Interchange Format）方式などの他の圧縮方式を採用してもよい。
【００７５】
また、ＯＳＤメモリ３８については、ＲＧＢフォーマット対応としたが、ＹＵＶフォーマット対応のメモリで構成してもよい。この場合、ＹＵＶ変換回路３８は不要となるが、ＯＳＤデータをＹＵＶフォーマットで作成する必要がある。
【００７６】
そして、メニュー画面において、６つのサムネイル５８，５８，・・・（窓５２，５２，・・・）を一覧表示するようにしたが、６以外の数のサムネイル５８を表示するようにしてもよい。また、１つの画面に全てのサムネイル５８を表示することができない場合には、たとえばカーソル５６の移動に応じて画面をスクロールさせることで、全てのサムネイル５８を順次表示させるようにしてもよい。
【図面の簡単な説明】
【図１】この発明の一実施例に係るハードディスクビデオレコーダの概略構成を示すブロック図である。
【図２】図１の実施例におけるハードディスク内の構成を概念的に示す図解図である。
【図３】図１の実施例における録画リストの記録内容を概念的に示す図解図である。
【図４】図１の実施例において、メニュー画面の構成を概念的に示す図解図である。
【図５】図１の実施例における可変スケーラの動作の概念を示す図解図である。
【図６】図４のメニュー画面において或るサムネイルを選択した後に表示される操作画面の構成を概念的に示す図解図である。
【図７】図６の操作画面において“再生”を選択した後の表示画面の遷移状態を示す図解図である。
【図８】図１の実施例において、ライブ映像を表示しているときの画面の構成を概念的に示す図解図である。
【図９】図１の実施例におけるＣＰＵの動作を示すフロー図である。
【図１０】図９に続くフロー図である。
【図１１】図１０に続くフロー図である。
【図１２】図１０に続く図１１とは別のフロー図である。
【符号の説明】
１６…ＣＰＵ
２２…ハードディスク
２４…操作キー
３０…ビデオメモリ
３２…可変スケーラ
３８…ＯＳＤメモリ
４２…サムネイル生成回路
【図１】
0004567937.tif 000002
【図２】
0004567937.tif 000003
【図３】
0004567937.tif 000004
【図４】
0004567937.tif 000005
【図５】
0004567937.tif 000006
【図６】
0004567937.tif 000007
【図７】
0004567937.tif 000008
【図８】
0004567937.tif 000009
【図９】
0004567937.tif 000010
【図１０】
0004567937.tif 000011
【図１１】
0004567937.tif 000012
【図１２】
0004567937.tif 000013